(57)【特許請求の範囲】
【請求項１】
眼科手術時に瞼裂内に貯留する液体を瞼裂外に排出する排液器であって、
先端部が下方に屈曲する形状に形成された複数の側壁部材からなる本体部と、
該本体部における各側壁部材を連結する連結部とを備え、
隣り合う側壁部材の少なくとも上端部同士が所定距離を隔て、かつ隣り合う側壁部材の側面同士が対向する態様で、前記連結部が前記本体部における各側壁部材を並列状態に連結することによって、隣り合う側壁部材の間に液体を排出するための排液路が形成されることを特徴とする排液器。
【請求項２】
前記本体部は、前記側壁部材の先端部が鈎状に屈曲する形状に形成されている請求項１に記載の排液器。
【請求項３】
前記本体部は、前記側壁部材の先端部から挟持片が延設され、本体部と挟持片の間において眼瞼縁部を挟持するものとなされている請求項２に記載の排液器。
【請求項４】
前記本体部は、前記側壁部材の先端部から上下の各眼瞼縁部に沿ってそれぞれ延びる開瞼アームが設けられており、該開瞼アームには眼瞼縁部の内面と当接する当接片が設けられている請求項１または請求項３に記載の排液器。
【請求項５】
前記本体部は、前記側壁部材の内側側面にホーニング加工および／またはヘアライン加工が施されている請求項１ないし請求項４のいずれかに記載の排液器。
【請求項６】
前記本体部は、吸水性素材からなる請求項１ないし請求項５のいずれかに記載の排液器。
【請求項７】
前記本体部は、前記側壁部材の先端部同士が互いに離間する方向に屈曲する形状に形成されている請求項１ないし請求項６のいずれかに記載の排液器。
【請求項８】
前記本体部は、前記側壁部材の後端部に挿通孔が穿設されており、該挿通孔にワイヤ型開瞼器におけるワイヤが挿通される請求項１ないし請求項７のいずれかに記載の排液器。
【請求項９】
前記連結部は、前記側壁部材の下端部に設けられるとともに、下面に粘着材料を有する請求項１または請求項８に記載の排液器。
【請求項１０】
前記連結部は、前記側壁部材の先端部同士を互いに離間させる方向に付勢可能な態様で前記側壁部材の後端部同士を連結している請求項１ないし請求項９のいずれかに記載の排液器。
【請求項１１】
前記連結部は、前記側壁部材の間において側壁部材の長さ方向に沿って延び、かつ先端部が鉤状に形成された固定補助部材が設けられている請求項１ないし請求項１０のいずれかに記載の排液器。
【発明の詳細な説明】
【技術分野】
【０００１】
本発明は、白内障などの眼科手術時において、瞼裂内に貯留して手術の妨げとなる液体を瞼裂外に排出するための排液器に関する。
【背景技術】
【０００２】
一般的に、白内障手術や他の眼科手術の時に、角膜の透明性維持のためにシリンジから眼球表面にかけられる液体や、手術機械から多量に瞼裂内へ液体が供給される。ここで瞼裂内へ供給された液体が瞼裂内に貯留すると、術者の視認性を低下させ術中合併症発生の原因になったり、貯留した液体中に細菌が混入して術後細菌性眼内炎の原因になったりする虞がある。特に、奥目の人の場合は上述のような液体の貯留が起きやすい。
【０００３】
上述した瞼裂内での液体の貯留防止の方法として、ガーゼやスポンジに液体をしみこませて排出する方法が用いられてきた。しかし、この方法では排液能力が非常に弱く、多量の液体が供給されるような超音波白内障手術などの現代の手術に対応することができなかった。
【０００４】
また、現在、排液方法として最もよく用いられている方法は、手術中に眼瞼を開く開瞼器の中腔のアーム部に孔や溝を設けて、そのアーム部の孔と電動式のポンプとをチューブでつなぎ、該ポンプの吸引力により瞼裂内に貯留した液体を吸引することによって排出する方法である。しかし、この方法でも、眼瞼が厚く眼瞼狭小であったり、奥目などのような液体が貯留し易い眼には、充分な排液能力が発揮できなかった。またポンプの駆動電力が必要なこと、液体の吸引時の音がうるさいこと、また、老人で弛緩した結膜部は容易にポンプの吸収孔に嵌頓して液体の吸収を妨げたり、痛みを併発させたりするなども弱点であった。
【０００５】
上述の問題に対処し得るものとして、近年、ポンプを使用しなくても外眼角部（目尻）やその近傍の眼瞼縁に設置することによって、瞼裂内に貯留した液体が排出される排液器が知られている（例えば下記特許文献１，２参照）。これら特許文献１，２の排液器は、いずれも本体と眼瞼部の間に作られる空間を毛細管現象などにより液体が移動して排液するというものである。
【０００６】
具体的には、特許文献１の排液器は、外眼角部近傍の眼瞼部上の載置面と所定の隙間をあけて載置される本体を備えている。該本体は平坦なシート状の構造であって、展開状態では全体形状が略台形状となされ、防水性素材により形成されている。また、本体は瞼裂縁部から内側に突出する突出部が設けられ、該突起部には外眼角部近傍の結膜部に向かって垂下する垂下部が設けられている。そして、突出部の裏面に瞼裂内の液体を付着させて本体と載置面の隙間内に液体を引き出し、その液体を本体と載置面の隙間に通過させて、本体の外部に排出する。
【０００７】
また、特許文献２の排液器は、本体（ボディ部）の先端部がへら状に形成されたフック状の構造で、そのフック部を外眼角部の眼瞼結膜嚢やドレープに差し込んで設置する。そして、液体を本体の腹部における眼瞼縁側表面と眼瞼縁又はドレープとの隙間を伝わせて、本体のテール部の表面に到達させて液体を排出する。
【先行技術文献】
【特許文献】
【０００８】
【特許文献１】特許第４５７２３７８号
【特許文献２】特許第４８０６７３１号
【発明の概要】
【発明が解決しようとする課題】
【０００９】
しかしながら、従来の排液器は、瞼裂内に貯留した液体を瞼裂外に十分に排出することができないという問題があった。この問題の１つ目の原因は、本体と眼瞼部の隙間に液体を効率的に流入させることができないことである。
【００１０】
特許文献１の排液器９１は、図１５（ａ）に示すように、本体９１１が眼瞼部Ｍ上に設置され、該本体９１１から眼瞼縁部Ｎの内側に突出した突出部９１２が上方側から瞼裂内に貯留した液体を吸着して流入させるものであるが、瞼裂内に貯留した液体を上方側から吸着するには、結膜部Ｌや眼瞼部Ｍに近い位置に突出部９１２の高さを設定しなければならない。このことより、液体を流入させるための流入口の高さが制限され、これに伴って液体を流入する位置での液体の断面積（以下、流入面積という）Ｓ１１が小さくなるため、液体を効率的に流入させることができない。しかも、液体を吸着する場合、本体９１１の下面近傍の液体しか吸着できないため、多くの量の液体を吸着できない。
【００１１】
また、特許文献２の排液器９２は、図１５（ｂ）に示すように、外眼角部（眼瞼縁部）Ｎに引っ掛けられたフック部９２２を液体に伝わらせて流入するものであるが、液体が毛細管現象などによってフック部９２２を伝わる量には限界があるため、その液体の流入面積Ｓ２１は非常に小さく、この排液器９２も同様、液体を効率的に流入させることができない。しかも、この排液器９２は、瞼裂内の液体が多くなった場合、排液器９２自体により外眼角部Ｎで液体を堰き止めてしまう場合もある。
【００１２】
また、液体を十分に排出することができない２つ目の原因は、従来の排液器は、液体を排出するに際して本体と眼瞼部の隙間で液体を効率的に通過させることができないことである。
【００１３】
特許文献１の排液器９１は、本体９１１の下面と眼瞼部Ｍの隙間に液体を通過させて排出するものであるが、図１５（ａ）に示すように、液体を通過させる隙間を上方側から閉塞する態様で液体を通過させるものであるため、液体を通過させる隙間が制限され、これに伴って液体を通過させる位置での液体の断面積（以下、通過面積という）Ｓ１２が小さくなり、液体を効率的に通過させることができない。
【００１４】
また、特許文献２の排液器９２は、本体９２１の下面と眼瞼部Ｍの間やその近傍を液体に伝わらせるものであることから、図１５（ｂ）に示すように、その液体の通過面積Ｓ２２は非常に小さく、また排液器９２自体が液体の通過を妨げてしまうため、液体を効率的に通過させることができない。
【００１５】
実際、両特許文献１，２の排液器とも、上述が原因となって、液体を瞼裂外に十分に排出することができず、液体の供給量が本排液器による排出量を上回ってしまい、液体が眼瞼内に貯留する場合が生じていた。また、特許文献１の排液器は幅が広いため、特許文献２の排液器は高さが高いため、患者の耳側に座って手術を行う術者にとって手術器具操作の邪魔になることも多かった。
【００１６】
本発明は、上述の問題に鑑みてなされたものであって、瞼裂内に貯留した液体を瞼裂外に効率的に排出することができる排液器を提供することを目的とする。
【課題を解決するための手段】
【００１７】
本発明は、上記目的を達成するために、眼科手術時に瞼裂内に貯留する液体を瞼裂外に排出する排液器に関するものであって、先端部が下方に屈曲する形状に形成された複数の側壁部材からなる本体部と、該本体部における各側壁部材を連結する連結部とを備えており、 隣り合う側壁部材の少なくとも上端部同士が所定距離を隔て、かつ隣り合う側壁部材の側面同士が対向する態様で、連結部が本体部における各側壁部材を並列状態に連結することによって、隣り合う側壁部材の間に液体を排出するための排液路が形成されることを特徴とする。
【００１８】
これによれば、隣り合う側壁部材の間に液体を排出するための排液路が形成され、当該排液路に係る液体の流入面積が大きくなるため、各側壁部材間に多量の液体を流入させることができる。また、当該排液路に係る液体の通過面積が大きくなるため、各側壁部材間に多量の液体を通過させることができる。このように、排液路に係る液体の流入面積および通過面積のいずれもが大きくなることによって、多量の液体を流入および通過させることができるため、瞼裂内に貯留した液体を瞼裂外に効率的に排出することが可能となる。
【００１９】
また、本体部は、側壁部材の先端部が鈎状に屈曲する形状に形成されているのが好ましい。これによれば先端部を眼瞼縁部に掛けることにより、本排液器を安定して設置することができる。
【００２０】
また、本体部は、側壁部材の先端部からは挟持片が延設され、本体部と挟持片の間において眼瞼縁部を挟持するものとなされているのが好ましい。これによれば、本体部と挟持片の間において眼瞼縁部を挟持することにより、本排液器を迅速かつ安定的に設置することができる。
【００２１】
また、本体部は、側壁部材の先端部から上下の各眼瞼縁部に沿ってそれぞれ延びる開瞼アームが設けられており、該開瞼アームには眼瞼縁部の内面と当接する当接片が設けられているのが好ましい。これによれば先端部から延びた開瞼アームにより上下の各眼瞼部を開瞼しながら、液体を排出することができる。
【００２２】
また、本体部は、側壁部材の内側側面にホーニング加工および／またはヘアライン加工が施されているのが好ましい。これによればホーニング加工により各側壁部材の表面に微細な凹凸形状を形成することや、ヘアライン加工により各側壁部材の表面に微細な線状の傷を形成することにより、側壁部材の内側表面における液体との濡れ性（親水性）が高まるため、液体を円滑に流入および通過させることができる。
【００２３】
また、本体部は吸水性素材からなるものであってもよい。これによれば液体が各側壁部間に流入および通過して排出される排液路とは別に、液体が各側壁部材の各先端部から吸入されたあと、内部を通過して排出される他の排液路が形成されるため、液体をより一層効率的に排出することができる。
【００２４】
また、本体部は、側壁部材の先端部同士が互いに離間する方向に屈曲する形状に形成されているのが好ましい。これによれば液体の流入口が広くなるため、より多量の液体を流入させることができる。
【００２５】
また、本体部は、側壁部材の後端部に挿通孔が穿設されており、該挿通孔にワイヤ型開瞼器におけるワイヤが挿通されるのが好ましい。これによれば一般的なワイヤ型開瞼器を利用して、上下の各眼瞼縁部を開瞼しながら液体を排出することができる。
【００２６】
また、連結部は、側壁部材の下端部に設けられるとともに、下面に粘着材料を有するのが好ましい。これによれば粘着部材により連結部が眼瞼部に貼り付けられるため、本排液器を安定して設置することができる。
【００２７】
また、連結部は、側壁部材の先端部同士を互いに離間させる方向に付勢可能な態様で側壁部材の後端部同士を連結しているのが好ましい。これによれば各先端部を眼瞼部に対して付勢力をもって固定することにより、本排液器を安定して設置することができる。
【００２８】
また、連結部は、側壁部材の間において側壁部材の長さ方向に沿って延び、かつ先端部が鉤状に形成された固定補助部材が設けられているのが好ましい。これによれば固定補助部材の先端部を眼瞼縁部に掛けることにより本排液器を安定して設置することができる。
【発明の効果】
【００２９】
本発明によれば、隣り合う側壁部材の間に液体を排出するための排液路が形成され、当該排液路に係る液体の流入面積が大きくなるため、各側壁部材間に多量の液体を流入させることができる。また、当該排液路に係る液体の通過面積が大きくなるため、各側壁部材間に多量の液体を通過させることができる。
【００３０】
このように、排液路に係る液体の流入面積および通過面積のいずれもが大きくなることによって、多量の液体を流入および通過させることができるため、瞼裂内に貯留した液体を瞼裂外に効率的に排出することが可能となる。
【００３１】
また、眼瞼縁部を跨いで配置されるため、人の眼瞼部の厚みや形状における個人差に影響されることが少なく、常に排液効果を維持することがができる。
【００３２】
また、例えば各側板部材を小さくしたり、あるいは各側板部材の間隔を小さくする等、本排液器を従来の排液器と同程度の排液効率となるように構成することにより、本排液器が存在するスペースも小さくなるため、手術器具をより操作し易くすることも可能となる。
【００３３】
また、本排液器の設置に際して何らか折ったりするなどの煩雑の作業を必要とせず、手術を速やかに開始することができる。
【００３４】
また、排液器自体により眼瞼縁部で液体を堰き止めることがない上に、瞼裂内への液体の供給量の多少に確実に対応することができ、円滑な眼科手術を実現することが可能となる。
【図面の簡単な説明】
【００３５】
【図１】第１の実施形態に係る排液器を示す斜視図である。
【図２】図１の排液器の設置状態を示す平面図である。
【図３】図１の排液器の設置状態を示す側面図である。
【図４】図１の排液器の設置状態を示す正面図である。
【図５】図１の排液器における変形例の設置状態を示す正面図である。
【図６】第２の実施形態に係る排液器を示す斜視図である。
【図７】第３の実施形態に係る排液器を示す斜視図である。
【図８】第４の実施形態に係る排液器を示す斜視図である。
【図９】第５の実施形態に係る排液器を示す平面図である。
【図１０】第６の実施形態に係る排液器を示す斜視図である。
【図１１】第７の実施形態に係る排液器を示す斜視図である。
【図１２】第８の実施形態に係る排液器を示す斜視図である。
【図１３】第９の実施形態に係る排液器を示す（ａ）斜視図、（ｂ）平面図、（ｃ）正面図である。
【図１４】図１３の排液器の設置状態を示す側面図である。
【図１５】従来の排液器の設置状態を示す正面図である。
【発明を実施するための形態】
【００３６】
＜第１の実施形態＞
次に、本発明に係る排液器の第１の実施形態について図１〜図４を参照しつつ説明する。
【００３７】
［本排液器１の構成］
本実施形態に係る排液器１は、図１に示すように、２枚の側壁部材１１１からなる本体部１１と、該本体部１１における各側壁部材１１１を連結する連結部１２とを備えている。
【００３８】
前記本体部１１は、２枚の板状の側壁部材１１１により構成されており、側壁部材１１１のいずれも互いに同一形状・同一素材で形成されている。具体的には、これら側壁部材１１１は、長さｒ、高さｈ、厚みｔで形成された細長い板状部材であり、内側に位置する内側面１１１ａと外側に位置する外側面１１１ｂとをそれぞれ有している。また、これら側壁部材１１１は、後方端部から前方側に延びる矩形状の基部１１１Ａと、該基部１１１Ａの前方端部から下方に向かって緩やかに屈曲する先細り形状の先端部１１１Ｂとを備えている。なお、図１において、基部１１１Ａおよび先端部１１１Ｂの境界部分を一点鎖線を示しているが、これは説明の便宜上の仮想線である。
【００３９】
また、この側壁部材１１１は、ステンレスなどの硬質素材から構成されており、各側壁部材１１１の内側面１１１ａにヘアライン加工が施されている。ここでのヘアライン加工は、各側壁部材１１１の内側面１１１ａの前方側から後方側に向かって微細な線状の傷を形成するものである。これにより、液体を流入および通過させる方向について、液体と各側壁部材１１１の内側面１１１ａとの濡れ性（親水性）が高まるため、先端部１１１Ｂから基部１１１Ａの後端部にかけて液体を円滑に流入および通過させることができる。
【００４０】
前記連結部１２は、図１に示すように、前記本体部１１における各側壁部材１１１を並列状態に連結している。具体的には、連結部１２は、幅ｄで形成された板状部材であり、連結部１２の幅方向における一方端部が一方の側壁部材１１１の内側面１１１ａの下部中央に直交する態様で連結されるとともに、他方端部が他方の側壁部材１１１の内側面１１１ａの同じ下部中央に直交する態様で連結されている。したがって、各側壁部材１１１は、互いに所定距離ｄを隔て、かつ内側面１１１ａ同士が平行に対向するため、各側壁部材１１１の間には液体を排出するための排液路Ｒが形成されることになる。
【００４１】
また、連結部１２は、上述のように各側壁部材１１１の下部中央を連結していることより、本排液器１を眼瞼部Ｍに設置した際、図３および図４に示すように、連結部１２の下面１２ａが眼瞼部Ｍと当接するため、本排液器１を安定して設置することができる。また、本実施形態では、連結部１２の下面１２ａに粘着材料を有しており、この粘着材料により連結部１２が眼瞼部Ｍに貼り付けられるため、本排液器１をより安定して設置することができる。
【００４２】
［本排液器１の設置方法］
次に、本排液器１の設置方法について図２〜図４を参照しつつ説明する。なお、以下の説明では、図２に示すように、患者の眼瞼部Ｍには上下の眼瞼縁部Ｎを開瞼する開瞼器Ｚ１が装着されている。また、通常の眼科手術では眼瞼部Ｍ上にドレープが貼れられるが、ここでは説明の便宜上、ドレープの図示は省略する。
【００４３】
本排液器１の設置については、図２〜図４に示すように、本体部１１の側壁部材１１１が眼瞼縁部Ｎを跨ぐように設置する。具体的には、本排液器１の基部１１１Ａを外眼角部Ｎ’近傍の眼瞼部Ｍに設置するとともに、各先端部１１１Ｂを瞼裂Ｋ内の結膜部Ｌに向かう態様で本排液器１を設置する。
【００４４】
すると、図４に示すように、各側壁部材１１１の各先端部１１１Ｂが結膜部Ｌに対して互いに所定距離ｄを隔てて起立状態に並列するため、後述するように各側壁部材１１１の先端部１１１Ｂ間に流体が流入するときの液体の流入面積Ｓ１が大きくなる。
【００４５】
また、図４に示すように、各側壁部材１１１の基部１１１Ａが眼瞼部Ｍに対して所定距離ｄを隔てて起立状態に並列するため、後述するように各側壁部材１１１間に液体が通過するときの液体の通過面積Ｓ２が大きくなる。
【００４６】
［本排液器１の排液メカニズム］
次に、本排液器１の排液メカニズムについて図２〜図４を参照しつつ説明する。
【００４７】
眼科手術時において、図２〜図４に示すように、本排液器１を上述のように設置し、シリンジや手術機械等から瞼裂Ｋ内に液体が供給される。
【００４８】
すると、図４に示すように、瞼裂Ｋ内に貯留した液体は、側壁部材１１１の各先端部１１１Ｂの隙間に発生する毛細管現象やコアンダ効果などによって、各先端部１１１Ｂに吸着されながら各先端部１１１Ｂ間に流入する。
【００４９】
このとき、液体が流入する位置（図３中の破線Ａの位置）での流入面積Ｓ１は、結膜部Ｌと各先端部１１１Ｂによって囲まれた領域である。ここでの各先端部１１１Ｂは結膜部Ｌに対して互いに所定距離ｄを隔てて起立状態に並列しているため、当該領域のほぼ全体に毛細管現象やコアンダ効果が発生し、当該領域のほぼ全体が液体で満たされる態様で各先端部１１１Ｂから液体を吸着して流入させることができる。
【００５０】
なお、この点について、例えば図１５に示した同サイズの従来の排液器９１，９２と比較すると、図４および図１５に示すように、本排液器１の流入面積Ｓ１は結膜部Ｌおよび各先端部１１１Ｂによって囲まれた領域のほぼ全体であるのに対して、従来の排液器の流入面積Ｓ１１、Ｓ２１は非常に小さいものとなっている。これは、排液器９１では、各突出部９１２の下方側が離間し過ぎていることから、各突出部９１２の下方側では毛細管現象やコアンダ効果が発生しにくく、本体９１１の下面近傍の液体しか吸着できないためであり（図１５（ａ）参照）、また、排液器９２では、１つのフック部９２２で形成されていることから、フック部９２２の近傍のみ毛細管現象やコアンダ効果が発生することとなっているためである（図１５（ｂ）参照）。いずれも、液体が流入するに際して発生する毛細管現象やコアンダ効果を十分に発揮されていないことによる。このことより、本排液器１は排液路Ｒにおける液体の流入面積Ｓ１が大きいため、本排液器１は各先端部１１１Ｂ間から多量の液体を流入させることができる。
【００５１】
次に、両側壁部材１１１の各先端部１１１Ｂにより流入された液体は、毛細管現象やコアンダ効果などによって各側壁部材１１１の基部１１Ａ間を後方に向かって通過する。
【００５２】
このとき、図４に示すように、液体が通過する位置（図３中の破線Ｂの位置）での液体の通過面積Ｓ２は、眼瞼部Ｍと各基部１１１Ａに囲まれた領域である。ここでの各基部１１１Ａは眼瞼部Ｍに対して所定距離ｄを隔てて起立状態に並列しているため、当該領域のほぼ全体に毛細管現象やコアンダ効果が発生し、当該領域のほぼ全体が液体で満たされる態様で、各基部１１１Ａ間に液体を通過させることができる。
【００５３】
なお、この点について、例えば図１５に示した同サイズの従来の排液器９１，９２と比較すると、図４および図１５に示すように、本排液器１の通過面積Ｓ２は眼瞼部Ｍおよび各基部１１１Ａによって囲まれた部分の幅ｄの矩形状であるのに対して、従来の排液器９１，９２の通過面積Ｓ１２、Ｓ２２は横幅ｄを底辺とした略三角形状となされた部分であったり（図１５（ａ）参照）、排液器９２の下側の狭い隙間の部分であったりと（図１５（ｂ）参照）、従来の排液器９１，９２の通過面積Ｓ２１、Ｓ２２は非常に小さいものとなっている。このように、本排液器１は排液路Ｒにおける液体の通過面積Ｓ２が大きいため、本排液器１は各基部１１１Ａ間に多量の液体を通過させることができる。
【００５４】
このように隣り合う側壁部材１１１の間に液体を排出するための排液路Ｒが形成され、当該排液路Ｒに係る液体の流入面積Ｓ１が大きくなるため、各側壁部材１１１間に多量の液体を流入させることができる。また、当該排液路Ｒに係る液体の通過面積Ｓ２が大きくなるため、各側壁部材１１１間に多量の液体を通過させることができる。このように、排液路Ｒにおける液体の流入面積Ｓ１および通過面積Ｓ２のいずれもが大きくなることによって、多量の液体を流入および通過させることができるため、瞼裂Ｋ内に貯留した液体を瞼裂Ｋ外に効率的に排出することが可能となる。
【００５５】
また、上述を踏まえると、例えば各側板部材１１１の高さｈを小さくしたり、あるいは各側板部材１１１の間隔ｄを小さくする等、本排液器１を従来の排液器９１，９２と同程度の排液効率（流入面積Ｓ１および通過面積Ｓ２）となるように構成することにより、本排液器１が存在するスペースが小さくなる。このため、患者の耳側に座って手術を行う術者にとっては手術器具をより操作し易くすることが可能となる。
【００５６】
なお、本実施形態では、隣り合う側壁部材１１１同士の内側面１１１ａ同士が平行に対向する場合について説明したが、平行でなくてもよい。例えば、各側壁部材１１１が下方に向かうに連れて各側壁部材１１１が互い離間していく態様で傾斜しながら対向させるようにしてもよいし（図５（ａ）参照）、あるいは各側壁部材１１１が下方に向かうに連れて各側壁部材１１１が互い近接していく態様で傾斜しながら対向させるようにしてもよい（図５（ｂ）参照）。要は、隣り合う側壁部材１１１の少なくとも上端部同士が所定距離を隔て、かつ隣り合う側壁部材１１１の内側面１１１ａ同士が対向する態様であればよい。但し、各側壁部材１１１の間を広くして排液効果を高めるために、各側壁部材１１１の傾斜角度は鉛直方向（眼瞼部等の設置面に直交する方向）に対して−２０度〜２０度の範囲内が好ましい。
【００５７】
また、側壁部材１１１における内側面１１１ａにヘアライン加工が施されている場合について説明したが、側壁部材１１１の内側面１１１ａに微細な凹凸形状を形成するホーニング加工が施されてもよいし、両加工が施されてもよい。
【００５８】
また、側壁部材１１１が硬質素材からなる場合について説明したが、吸水性素材からなるものであってもよい。
【００５９】
また、本排液器１を眼瞼部Ｍ（外眼角部Ｎ’）に設置する場合について説明したが、その他の眼瞼部Ｍに設置されてもよい。
【００６０】
＜第２の実施形態＞
次に、本発明に係る排液器の第２の実施形態について図６を参照しつつ説明する。なお、以下の各実施形態では、上記実施形態と異なる構成についてのみ説明することとし、同一の構成については説明を省略して同一の符号を付すこととする。
【００６１】
本実施形態の排液器２において、本体部２１は、図６に示すように、側壁部材２１１の先端部２１１Ｂが鈎状に屈曲する形状に形成されている。したがって、先端部２１１Ｂを眼瞼縁部Ｎに掛けることにより、本排液器２を安定して設置することができる。
【００６２】
また、本排液器２は、連結部２２が本体部２１の上端部に設けられているため、両側壁部材２１１間に液体を円滑に通過させることができる。
【００６３】
＜第３の実施形態＞
次に、本発明に係る排液器の第３の実施形態について図７を参照しつつ説明する。
【００６４】
本実施形態の排液器３において、本体部３１は、図７に示すように、側壁部材３１１の先端部３１１Ｂ同士が互いに離間する方向に屈曲する形状に形成されている。これにより、液体の流入口が広くなるため、より多量の液体を流入させることができる。
【００６５】
＜第４の実施形態＞
次に、本発明に係る排液器の第４の実施形態について図８を参照しつつ説明する。
【００６６】
本実施形態の排液器４において、本体部４１は、図８に示すように、側壁部材４１１の後端部に挿通孔１３が穿設されており、該挿通孔１３にワイヤ型開瞼器Ｚ２におけるワイヤが挿通されている。これにより、一般的なワイヤ型開瞼器Ｚ２を利用して、上下の各眼瞼縁部Ｍを開瞼しながら液体を排出することができる。
【００６７】
また、各側壁部材４１１は、挿通孔１３の下部には切欠部１３ａが設けられており、該切欠部１３ａを通してワイヤ型開瞼器Ｚ２のワイヤを挿通孔１３に嵌め入れ可能となされている。
【００６８】
＜第５の実施形態＞
次に、本発明に係る排液器の第５の実施形態について図９を参照しつつ説明する。
【００６９】
本実施形態の排液器５において、本体部５１は、図９に示すように、側壁部材５１１の先端部５１１Ｂから上下の各眼瞼縁部Ｎに沿ってそれぞれ延びる開瞼アーム１４が設けられており、該開瞼アーム１４の先端部には眼瞼縁部Ｎの内面と当接する当接片１４１が設けられている。このため、先端部５１１Ｂから延びた開瞼アーム１４により上下の各眼瞼部Ｍを開瞼しながら、液体を排出することができる。
【００７０】
また、本排液器５の連結部５２は、弾性部材からなり、各側壁部材５１１の上端部を連結しており、各先端部５１１Ｂ同士を互いに離間させる方向に付勢可能となされている。したがって、各先端部５１１Ｂを眼瞼部Ｍに対して付勢力をもって固定することにより、本排液器５を安定して設置することができる。
【００７１】
＜第６の実施形態＞
次に、本発明に係る排液器の第６の実施形態について図１０を参照しつつ説明する。
【００７２】
本実施形態の排液器６において、連結部１２は、図１０に示すように、側壁部材１１１の間において側壁部材１１１の長さ方向に沿って延び、かつ先端部１５ａが鉤状に形成された固定補助部材１５が設けられている。これにより、固定補助部材１５の先端部１５ａを眼瞼縁部Ｎに掛けることにより本排液器６を安定して設置することができる。
【００７３】
＜第７の実施形態＞
次に、本発明に係る排液器の第７の実施形態について図１１を参照しつつ説明する。
【００７４】
本実施形態の排液器７において、連結部７２は、図１１に示すように、側壁部材１１１の先端部１１１Ｂ同士を互いに離間させる方向に付勢可能な態様で側壁部材１１１の後端部同士を連結する板ばね状となされている。したがって、各先端部１１１Ｂを眼瞼部Ｍに対して付勢力をもって固定することにより、本排液器７を安定して設置することができる。
【００７５】
＜第８の実施形態＞
次に、本発明に係る排液器の第８の実施形態について図１２を参照しつつ説明する。
【００７６】
本実施形態の排液器８において、本体部６１は、図１２に示すように、２枚の側壁部材１１１の間に、１枚の中間側壁部材６１１が設けられている。各側壁部材間を狭められることにより毛細管現象やコアンダ効果などが高まるとともに、複数の排液路が形成されるため、多量の液体を確実に液体を排出することができる。
【００７７】
また、中間側壁部材６１１は、基部６１１Ａにおける後端上部に摘み部６１１ｃを備えているため、本排液器８の取り扱いが容易になる。
【００７８】
なお、本実施形態では、中間側壁部材６１１が１枚である場合について説明したが、２枚以上であってもよい。
【００７９】
＜第９の実施形態＞
次に、本発明に係る排液器の第９の実施形態について図１３および図１４を参照しつつ説明する。
【００８０】
本実施形態の排液器９において、本体部７１は、図１３に示すように、側壁部材７１１の先端部７１１Ｂが基部７１１Ａの延びる方向にまで鈎状に屈曲する形状に形成されている。この先端部７１１Ｂの基端には、先端部７１１Ｂが屈曲する方向に向かって凸となる突起部７１１Ｅが設けられている。また、先端部７１１Ｂの先端は、本体部７１の内側方向に直角に曲げられ、先端部７１１Ｂの各先端を繋ぐバー７１１Ｄが形成されている。このバー７１１Ｄからは、細長い板状部材である挟持片７３が長手方向に延びるよう延設されている。
【００８１】
挟持片７３は、その基端（バー７１１Ｄとの接続部）の近傍において緩やかに湾曲して厚み方向上側に延びるとともに、近傍から離れるに従い緩やかに湾曲して厚み方向下側に延びている。このような構造の挟持片７３は、基端の近傍において突起部７３Ａを備え、該突起部７３Ａは突起部７１１Ｅに対向している。また、本体部７１の突起部７１１Ｅと挟持片７３の突起部７３Ａとの間隔は、眼瞼縁部Ｎの厚みよりも若干小さくなるように形成されている。
【００８２】
而して、本体部７１は、眼瞼縁部Ｎの挟持に際して先端部７１１Ｂが眼瞼縁部Ｎの厚み方向に開くように弾性変形することにより、図１４に示すように、主に本体部７１の突起部７１１Ｅと挟持片７３の突起部７３Ａとの間が眼瞼の厚みに合わせて開いて眼瞼縁部Ｎを挟持するため、排液器９を迅速かつ安定的に固定すると同時に液体の排出能力を向上させることができる。
【００８３】
本体部７１の材料として、例えば、生体適合性や親水性を備えたナイロン１２（登録商標）、親水加工性を施したポリエチレン、シリコン、チタン、不織布が好適に用いられる。この場合、材料の親水性が大きいため、液体の排出速度が向上する。
【００８４】
また、側壁部材７１１の内側７１１ａには、不織布など凹凸を備えた繊維を貼り付けてもよい。この場合、排液器９の液体を吸い上げる機能が向上するため、液体の排出速度が向上する。
【００８５】
また、７１１Ｂから７１１Ｄにかけて側壁部材７１１が伸びていることによって、外眼角部の眼瞼の底部や眼瞼裏面と結膜の間に存在する液体も確実に吸い上げるため、液体の排出能力が向上する。
【００８６】
また、側壁部材７１１の基部７１１Ａは、長く形成されるのが好ましい。これによれば、毛細管現象によって液体を保持する容積が増大し、排液器９の液体を吸い上げる機能が向上するため、液体の排出速度が速くなる。
【００８７】
図１３（ｂ）（ｃ）において、それぞれ本体部７１の基部７１１Ａの基端の幅Ｗ２より先端の幅Ｗ１を狭くしたり、基部７１１Ａの基端の高さＨ２より先端の高さＨ１を低くすることで、液体に関するベルヌーイの法則により、液体の排出速度が速くなる。
【００８８】
なお、図１３では挟持片７３は一つ延設されているが、例えば各先端部７１１Ｂから別個に延設されるなど、複数個延設されてもよい。
【００８９】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００９０】
１…排液器
１１…本体部
１１１…側壁部材
１１１ａ…内側面
１１１ｂ…外側面
１１１Ａ…基部
１１１Ｂ…先端部
１２…連結部
Ｋ…瞼裂
Ｌ…結膜部
Ｍ…眼瞼部
Ｎ…眼瞼縁部
Ｏ…角膜
【要約】
【課題】本発明は、瞼裂内に貯留した液体を瞼裂外に効率的に排出することができる排液器を提供することを目的とする。
【解決手段】本排液器１は、先端部１１１Ｂが下方に屈曲する形状に形成された２枚の側壁部材１１１からなる本体部１１と、該側壁部材１１１を連結する連結部１２とを備える。本排液器１の本体部１１は、隣り合う側壁部材１１１の上端部同士が距離ｄを隔て、かつ隣り合う側壁部材１１１の内側側面１１１ａ同士が対向する態様で、連結部１２が各側壁部材１１１を並列状態に連結することより、隣り合う側壁部材１１１の間に液体を排出するための排液路Ｒが形成される。このため、該排液路Ｒに係る液体の流入面積Ｓ１と通過面積Ｓ２が大きくなるため、各側壁部材１１１間に多量の液体を流入および通過させることができる。
【選択図】図１【図１】
0005395979.tif 000002
【図２】
0005395979.tif 000003
【図３】
0005395979.tif 000004
【図４】
0005395979.tif 000005
【図５】
0005395979.tif 000006
【図６】
0005395979.tif 000007
【図７】
0005395979.tif 000008
【図８】
0005395979.tif 000009
【図９】
0005395979.tif 000010
【図１０】
0005395979.tif 000011
【図１１】
0005395979.tif 000012
【図１２】
0005395979.tif 000013
【図１３】
0005395979.tif 000014
【図１４】
0005395979.tif 000015
【図１５】
0005395979.tif 000016